(57)【要約】【課題】  建築用下地材が、建築物の曲面状躯体に沿って曲げられる曲面施工構造が得られる。【解決手段】  ５枚の単板からなる合板４と、この合板４の表面にラテックスと合成樹脂エマルジョンとの混合物を塗布して形成される防水層１４と、この防水層１４の上に骨材、セメント、ラテックスおよびエマルジョンの混合物を凹凸状に塗布する凹凸層１６とを含む建築用下地材２が、間柱２６、上部曲がり部材２１および下部曲がり部材２３などからなる曲面状躯体１９に沿って曲げられる曲面施工構造であって、建築用下地材２はこの最表裏側の単板の繊維方向１２に対して直交する方向３０に曲げられる。【選択図】              図１
2006316410.tif 000002
【特許請求の範囲】
【請求項１】
奇数枚の単板からなる合板と、該合板の表面に設けられる防水層と、該防水層の上に設けられる凹凸層とを含む建築用下地材が、曲面状に形成された躯体に沿って曲げられる曲面施工構造であって、前記建築用下地材は該建築用下地材の最表裏側の単板の繊維方向に対して直交する方向に曲げられてなる曲面施工構造。
【発明の詳細な説明】
【技術分野】
【０００１】
本発明は、建築用下地材が曲面状に曲げられた建築物の曲面施工構造に関する。
【背景技術】
【０００２】
従来の建築用下地材としては、合板や繊維板の表面に防水層を設け、さらにその上に無機質骨材を含むラテックスセメントからなる凹凸層を設けたものが知られている（下記特許文献１〜３）。
【特許文献１】実公昭５６−１８６６７号公報
【特許文献２】特公昭５９−１２８２５号公報
【特許文献３】実公昭５８−１８５１０号公報
【発明の開示】
【発明が解決しようとする課題】
【０００３】
しかしながら、これらの建築用下地材を不用意に建築物の曲面外壁に使用すると、建築用下地材が曲面状に形成される躯体（以下、「曲面状躯体」と云う。）にそって曲がらなかったり、たとえ曲がっても剥離したりして滑らかな曲面に施工することができなかった。
【０００４】
本発明が解決しようとする課題は、建築用下地材が、建築物の曲面状躯体に沿って曲げられる曲面施工構造が得られることである。
【課題を解決するための手段】
【０００５】
上記課題を解決するため本発明は、奇数枚の単板からなる合板と、該合板の表面に設けられる防水層と、該防水層の上に設けられる凹凸層とを含む建築用下地材が、曲面状躯体に沿って曲げられる曲面施工構造であって、前記建築用下地材は該建築用下地材の最表裏側の単板の繊維方向に対して直交する方向に曲げられてなることを特徴とする。
【０００６】
このようにすることにより、合板は奇数枚の単板から形成され、最表面側の単板と最裏面側の単板は合板の板厚方向中心から最も離れているので曲げ抵抗に対する影響が最も大きい。しかし、これらの単板の繊維方向に対して直交する方向に曲げる場合には曲げ抵抗が小さく比較的曲げ易い。したがって、この合板を基板とした建築用下地材を曲面状躯体に沿って曲げる際、その合板の最表裏側の単板の繊維方向に対して直交する方向を曲げ方向に合わせることにより曲げの反発力が比較的小さくなり容易に曲げることができる。
【０００７】
次に本発明を構成する各要件についてさらに詳しく説明する。本発明の曲面施工構造は、木造または鉄骨の住宅、店舗などの建築物の外壁または内壁に適用できる。この建築用下地材は、この表面に設けられる凹凸層にセメント系モルタルを塗布しモルタル層を形成するための下地材である。
【０００８】
合板は、奇数枚の単板から形成されるものであれば３プライ、５プライあるいは５プライを越えるものでも良い。奇数枚の単板から形成される合板を使用することにより最表面側の単板の繊維方向と、最裏面側の単板の繊維方向とを一致させる。さらに合板の厚さは７．５ｍｍ以下であることが好ましい。厚さが７．５ｍｍを越えるものは曲げの反発力が強くなるので曲げにくくなる。
【０００９】
曲面状躯体は、所望の曲面に形成されていれば特に制限はないが、たとえば上下方向に所定間隔で設けられ、かつ一定の曲げ半径に形成された上部曲がり部材（または胴差）および下部曲がり部材（または土台）などと、これら二つの曲がり部材の間に設けられる間柱などで形成される躯体などである。曲面状躯体に沿って建築用下地材を曲げるが、この際、先に記したように、建築用下地材の最表裏単板の繊維方向を曲げ方向に対して直交する方向に合せる。建築用下地材の最表裏単板の繊維方向と曲げ方向が同じであると曲げが困難になる。
【００１０】
防水層は、ラテックスと合成樹脂エマルジョンとの混合物を塗布して形成される。さらに、必要に応じてこの混合物に扁平タルク、雲母片などの扁平な小板状体、無機顔料、クレー、バライト、金属粉などの粒状ないし粉状の増量剤を適宜添加することができ、混合物の成分、組成、下地材の用途などに応じて増減する。
【００１１】
凹凸層は、無機質骨材、セメント、ラテックスおよび合成樹脂エマルジョンの混合物を上記防水層の表面に凹凸状に塗布した層である。ラテックスおよび合成樹脂エマルジョンの添加は、上記防水層への付着力を増すとともに建築用下地材が曲げられた際、凹凸層の割れを防止する効果がある。さらに、この混合物に必要に応じて界面活性剤、消泡剤などを適宜添加しても良い。
【発明の効果】
【００１２】
本発明によれば、建築用下地材が、建築物の曲面状躯体に沿って曲げられる曲面施工構造が得られる。
【発明を実施するための最良の形態】
【００１３】
以下、本発明に係る曲面施工構造の実施形態を図面に基いて詳細に説明する。なお、図１〜６において、同一または同等部分には同一符号を付けて示す。
【実施例１】
【００１４】
図１は、本発明に係る曲面施工構造の一実施形態を示す斜視図である。本曲面施工構造は、建築物の外壁または内壁であって曲面状に形成された躯体（曲面状躯体）１９に建築用下地材２が木ねじまたは釘２５で固定されている。建築用下地材２の最表裏単板６の繊維方向は、曲げ方向に対して直交するように配置されている。固定された建築用下地材２の凹凸層の上にはモルタルを塗布しモルタル層が形成される（図示せず）。モルタル層は、たとえばセメント、砂、ラテックスおよび水を混練して得たセメント系モルタル層で厚さは１０ｍｍ程度である。
【００１５】
図２は、図１における曲面状躯体の斜視図である。曲面状躯体１９は、予め所望の曲面になるように形成された躯体で、たとえば一定の半径となるように曲げられた上部曲がり部材２１および下部曲がり部材２３と、これら両部材間を連結する複数の間柱２６および間柱２８とから形成される。間柱２６と間柱２８は交互に設けられるが、間柱２６は建築用下地材の連結部分（継手部分）に設けられ、間柱２８は建築用下地材の連結部分でない箇所に設けられる。
【００１６】
上部曲がり部材２１および下部曲がり部材２３の手前側表面と、複数の間柱２６、２８の手前側表面とは面一とされる。間柱２６と間柱２８の間隔は４５５ｍｍ（メーターモジュールでは５００ｍｍ以下）とされる。建築用下地材の連結部分に使用される間柱２６の断面は４５×１０５ｍｍ以上とし、その間の間柱２８の断面は３０×１０５ｍｍ以上とする。
【００１７】
図３は、図１において使用する建築用下地材２の断面図である。建築用下地材２は、５枚の単板からなる合板４と、この合板４の表面に設けられる防水層１４と、この防水層１４の上に設けられる凹凸層１６とから形成される。
【００１８】
合板４は、５プライの合板で厚さは７．５ｍｍである。合板の最表面側の単板６の繊維方向と、最裏面側の単板１０の繊維方向とは一致させたものを使用する。中間の単板８ａ〜８ｃのうち、中央の単板８ｂの繊維方向は最表面側の単板６または最裏面側の単板１０の繊維方向と一致する。中間の単板８ａ、８ｃの繊維方向は最表面側の単板６または最裏面側の単板１０の繊維方向と直交する。
【００１９】
防水層１４は、ブタジエンアクリロニトリルラバー、メタクリルブチルラバーやスチレンブタジエンラバーなどのラテックスと、酢酸ビニール樹脂、塩化ビニール樹脂、アクリル樹脂、クロロピレン樹脂などの合成樹脂エマルジョンとの混合物を、たとえば１５０〜２５０ｇｒ／ｍ２塗布して形成される。さらに、必要に応じて扁平タルク、雲母片などの扁平な小板状体、無機顔料、クレー、バライト、金属粉などの粒状ないし粉状の増量剤を適宜添加することができる。組成は、ラテックスと合成樹脂エマルジョンを等量ずつ混合し、混合物の成分、組成、下地材の用途などに応じて増減する。
【００２０】
凹凸層１６は、炭酸カルシウム、珪砂などの骨材３０〜５０ｗｔ％と、ポルトランドセメントや白色セメントなどのセメント３０〜５０ｗｔ％と、スチレンブタジエンラバー、メタクリルブチルラバーなどのラテックス５〜２０ｗｔ％と、酢酸ビニールやアクリルなどの合成樹脂エマルジョン５〜２０ｗｔ％との混合物を防水層１４の表面に凹凸状に塗布したものである。さらに、凹凸層を形成する混合物に対して必要に応じてメチルセルロースや界面活性剤などを添加しても良い。塗布量は、２００〜１３００ｇｒ／ｍ２である。
【００２１】
上記混合物の各成分混合割合や塗布量は、建築用下地材の使用箇所（内壁用、外壁用など）、合板の厚さ、曲げ半径あるいは使用環境などによって変えると良い。好ましくはラテックスと合成樹脂エマルジョンとの合計量の全体に対する混合割合は、１５〜３０ｗｔ％とすることにより、防水層への付着力を高めるとともに凹凸層自体の柔軟性を増加させ、建築用下地材の曲げにともなう凹凸層の割れおよび剥離を防止することが可能となる。
【００２２】
凹凸層１６の凹凸の高さ（ｈ）は最大２．５ｍｍ程度とし、凹凸の形成は、たとえばこの凹凸に対応する目切りロール、凹凸に対応する網を巻いた網巻きロールなどを塗布直後の乾いていない塗布面に転動させて形成する。
【００２３】
図４は、図１における曲面壁の施工方法を示し、（ａ）は曲面状躯体に建築用下地材を張り始めた状態の要部斜視図、（ｂ）は曲面状躯体に建築用下地材を中途まで張った状態の要部斜視図、（ｃ）は曲面状躯体に建築用下地材を張り終えた状態の要部斜視図、を各々示す。
【００２４】
図４（ａ）に示すように、先ず曲面状躯体の間柱２６上において上部曲がり部材２１と下部曲がり部材２３に跨って、建築用下地材２の最表面側の単板の繊維方向１２を上下方向に向け、かつ左端を間柱２６の中央線２７に沿ってあてがい、中央線２７に沿って長さ３８ｍｍ以上の木ねじまたはＮ５０の釘２５を用いて固定する。
【００２５】
次に、図４（ｂ）に示すように、上部曲がり部材２１、下部曲がり部材２３および建築用下地材中央線１７に相当する位置に使用する間柱（図示せず）に対して上記と同様の木ねじまたは釘２５を用いコの字状に固定する。
【００２６】
さらに、図４（ｃ）に示すように、上部曲がり部材２１、下部曲がり部材２３および建築用下地材右端に相当する間柱２６に対して上記と同様の木ねじまたは釘２５を用いコの字状に固定し曲面を形成する。因みに、本図のような縦張り施工の場合の最小曲率半径は、使用する合板の厚みにもよるが、凡そ２．４ｍである。
【００２７】
図５は、図４における釘の打ち込みピッチを説明する要部拡大斜視図である。図４に示した建築用下地材２の固定において、左端側および右端側の上下方向の木ねじまたは釘２５のピッチＰ１、中央線１７上下方向の木ねじまたは釘２５のピッチＰ２および上端側および下端側の左右方向の木ねじまたは釘のピッチＰ３は、いずれも７５ｍｍ程度とする。
【００２８】
以上のようにして形成された曲面施工構造の作用について図３、４を使用して説明する。図３に示すように、合板４は５枚の単板から形成され、最表面側の単板６と最裏面側の単板１０は合板の板厚方向中心から最も離れているので曲げ抵抗に対する影響が最も大きい。しかし、これらの単板６、１０の繊維方向に対して直交する方向に曲げる場合には比較的曲げ易い。
【００２９】
図４に示すように、この合板４を基板とした建築用下地材２を曲面状躯体１９に沿って曲げる際、その合板４の最表裏側の単板の繊維方向１２に対して直交する方向３０を曲げる方向に合わせることにより曲げる力が比較的小さくなり容易に曲げることができ、建築用下地材２が、建築物の曲面状躯体１９に沿って曲げられる曲面施工構造が得られる。
【００３０】
以上この発明を図示の実施例について詳しく説明したが、それを以ってこの発明をそれらの実施例のみに限定するものではない。要するに、この発明の精神を逸脱せずして種々改変を加えて多種多様の変形をなし得ることは云うまでもない。
【産業上の利用可能性】
【００３１】
本発明の曲面施工構造は、個別住宅、集合住宅あるいは業務用ビルなどの建築物の内外壁の曲面施工構造として好適に利用できる。
【図面の簡単な説明】
【００３２】
【図１】本発明に係る曲面施工構造の一実施形態を示す斜視図である。
【図２】図１における曲面状躯体の斜視図である。
【図３】図１において使用する建築用下地材の断面図である。
【図４】図１における曲面壁の施工方法を示し、（ａ）は曲面状躯体に建築用下地材を張り始めた状態の要部斜視図、（ｂ）は曲面状躯体に建築用下地材を中途まで張った状態の要部斜視図、（ｃ）は曲面状躯体に建築用下地材を張り終えた状態の要部斜視図、を各々示す。
【図５】図４における釘の打ち込みピッチを説明する要部拡大斜視図である。
【符号の説明】
【００３３】
２  建築用下地材
４  合板
６  最表面側の単板
１０  最裏面側の単板
１２  繊維方向
１４  防水層
１６  凹凸層
１９  曲面状躯体（曲面状に形成された躯体）
３０  直交する方向
【図１】
2006316410.tif 000003
【図２】
2006316410.tif 000004
【図３】
2006316410.tif 000005
【図４】
2006316410.tif 000006
【図５】
2006316410.tif 000007